(57)【要約】【課題】光ディスクにおいてディスクバージョン情報を記録し、これを用いてディスクを記録再生する方法を提供する。【解決手段】ディスクの管理領域内にディスクバージョン情報を記録する方法において、前記ディスクバージョン情報は、少なくとも二つの区分された領域に、第１のバージョン情報と第２のバージョン情報とにそれぞれ区分して記録することを特徴とし、この結果、規格化されたディスクバージョンの情報を一様に適用することができ、光ディスクの記録再生に効率よく対応できるという長所がある。【選択図】  図４ａ
2010250935.tif 000002
【特許請求の範囲】
【請求項１】
記録媒体にデータを記録する方法であって、前記方法は、
最大記録速度として第１記録速度を表示するのに用いられる第１の情報と、最小記録速度として第２記録速度を表示するのに用いられる第２の情報と、前記最大記録速度および前記最小記録速度とは異なる予め定められた速度として第３記録速度を表示するのに用いられる第３の情報と、基本記録速度として少なくとも２つの第４記録速度を表示するのに用いられる第４の情報を識別するステップであって、前記基本記録速度は第１乃至第３の記録速度のうちの少なくともいずれか１つである、ステップと
ある特定の記録速度が前記記録媒体に適用可能か否かを表示する適用可能な記録速度情報を識別するステップと、
前記第１乃至第４の情報および適用可能な記録速度情報のうち少なくとも１つに基づいて前記記録媒体の特定領域に前記データを記録するステップと、
から成り、
前記適用可能な記録速度情報は、ある特定の記録速度が適用可能であることを、前記第１乃至第３の記録速度の少なくとも１つより優先して決定することを特徴とする方法。
【請求項２】
前記適用可能な記録速度情報は、特定の記録速度のそれぞれの適用性をビット位置で表示し、前記適用可能な記録速度情報は、下位の記録速度用のビットが下位の記録速度が適用可能であることを示すように設定されている場合、上位の記録速度用のビットは上位の記録速度が適用可能か否かのどちらか一方を示すように設定され、前記下位の記録速度用ビットが下位の記録速度が適用不能であることを示す場合、前記上位の記録速度用のビットは前記上位の記録速度も適用不能であることのみ指示するように構成されることを特徴とする請求項１記載の方法。
【請求項３】
記録媒体にデータを記録する、あるいは前記記録媒体から前記データを再生するように構成されたピックアップと、
前記ピックアップに動作可能に結合された制御部と、
を備える装置であって、
前記制御部は、最大記録速度として第１記録速度を表示するのに用いられる第１の情報と、最小記録速度として第２記録速度を表示するのに用いられる第２の情報と、前記最大記録速度および前記最小記録速度とは異なる予め定められた速度として第３記録速度を表示するのに用いられる第３の情報と、基本記録速度として少なくとも２つの第４記録速度を表示するのに用いられる第４の情報を識別するように構成され、
前記基本記録速度は前記第１乃至第３の記録速度のうちの少なくともいずれか１つであり、
前記制御部は、ある特定の記録速度が前記記録媒体に適用可能か否かを表示する適用可能な記録速度情報を識別するようにさらに構成され、
前記適用可能な記録速度情報は、ある特定の記録速度が適用可能であることを、前記第１乃至第３の記録速度の少なくとも１つよりも優先して決定し、
前記制御部は前記ピックアップを制御して、前記第１乃至第４の情報および適用可能な記録速度情報のうち少なくとも１つに基づいて前記記録媒体の特定領域に前記データを記録するようにさらに構成されることを特徴とする記録媒体にデータを記録する装置。
【請求項４】
前記第１乃至第４の情報と前記適用可能な記録速度情報を格納するように構成されたメモリをさらに備える装置であって、前記制御部は、この格納された前記第１乃至第４の情報と前記適用可能な記録速度情報を識別するように構成されることを特徴とする請求項３記載の装置。
【請求項５】
前記制御部は前記ピックアップを制御して、前記記録媒体から前記第１乃至第４の情報と前記適用可能な記録速度情報を読み取ることを特徴とする請求項３記載の装置。
【請求項６】
前記適用可能な記録速度情報は、特定の記録速度のそれぞれの適用性をビット位置で表示し、
前記適用可能な記録速度情報は、下位の記録速度用のビットが下位の記録速度が適用可能であることを示すように設定されている場合、上位の記録速度用のビットは上位の記録速度が適用可能か否かのどちらか一方を示すように設定され、前記下位の記録速度用ビットが下位の記録速度が適用不能であることを示す場合、前記上位の記録速度用のビットは前記上位の記録速度も適用不能であることのみ指示するように構成されることを特徴とする請求項３乃至５のいずれかに記載の装置。
【請求項７】
最大記録速度として第１記録速度を表示するのに用いられる第１の情報と、
最小記録速度として第２記録速度を表示するのに用いられる第２の情報と
前記最大記録速度および前記最小記録速度とは異なる予め定められた速度として第３記録速度を表示するのに用いられる第３の情報と、
基本記録速度として少なくとも２つの第４記録速度を表示するのに用いられる第４の情報であって、前記基本記録速度は第１乃至第３の記録速度のうちの少なくともいずれか１つである、第４の情報と、
を含み、
適用可能な記録速度情報は、ある特定の記録速度が前記記録媒体に適用可能か否かを表示し、前記適用可能な記録速度情報は、ある特定の記録速度の適用可能性を前記第１乃至第３の記録速度の少なくとも１つよりも優先して決定することを特徴とする記録媒体。
【請求項８】
前記適用可能な記録速度情報は、特定の記録速度のそれぞれの適用性をビット位置で表示し、前記適用可能な記録速度情報は、下位の記録速度用のビットが下位の記録速度が適用可能であることを示すように設定されている場合、上位の記録速度用のビットは上位の記録速度が適用可能か否かのどちらか一方を示すように設定され、前記下位の記録速度用ビットが下位の記録速度が適用不能であることを示す場合、前記上位の記録速度用のビットは前記上位の記録速度も適用不能であることのみ指示するように構成されることを特徴とする請求項７記載の記録媒体。
【請求項９】
前記記録媒体は再記録可能なＤＶＤであることを特徴とする請求項７記載の記録媒体。
【発明の詳細な説明】
【技術分野】
【０００１】
本発明は、記録媒体上に制御情報を記録する方法に係り、特に、少なくとも１つの記録層を有する記録可能な光ディスクにおける制御情報内に記録速度情報とその速度に対する記録関連情報（記録ストラテジィ）を記録する方法に係る。また、本発明は、記録速度情報を用いて記録媒体上にデータを記録または再生する方法に係る。
【背景技術】
【０００２】
ＨＤ−ＤＶＤと知られている高密度光記録媒体として高画質のビデオデータと高音質のオーディオデータを記録することができる光ディスクが広く使用されている。特に、ブルーレイディスクが次世代ＨＤ−ＤＶＤ技術として開発されている。
【０００３】
ブルーレイディスクに係る各種の標準案が提案されており、書き換え可能な１倍速のブルーレイディスク（ＢＤ−ＲＥ）に続いて１回だけ記録可能なブルーレイディスク（ＢＤ−ＷＯ）に対する各種の標準案が用意されている。
【０００４】
前記のようなＢＤ−ＲＥの場合、１倍速で書き換え可能な場合だけが論議されているが、今後、高速（２倍速以上）のＢＤ−ＲＥの場合にも対応する必要がある。特に、最近論議中のＢＤ−ＷＯの場合は、高速に対する規格化作業も一緒に進められている。高密度光ディスクに高速に書き込むことができる効率的な解決策の確立が切実に要求されている。その規格は相互間の互換性が確保されねばならない。
【発明の概要】
【発明が解決しようとする課題】
【０００５】
本発明は、前述した従来技術の問題点を実質的に解決する方法を記録した光ディスク情報を目指すものである。
【０００６】
その目的は、記録されたディスク制御情報から光ディスクの効率的な記録再生を行うことができるように、ディスク制御情報内に速度情報を効率よく記録し、複数の記録速度に対応する規格化された情報としてディスク制御情報を記録する新規な方法を提供することである。
【０００７】
本発明の他の目的は、ディスク制御情報を構成する新規のデータ構造を提供することである。
【０００８】
本発明のさらに他の目的は、高速に対応するディスク制御情報をディスク内の特定領域に規格化された方法で提供し、記録層別の特定の速度に対する情報を特定の順に提供することで同系列のディスク同士の互換性を提供することである。
【０００９】
本発明の更なる目的は、記録されたディスク制御情報を用いて光ディスクにユーザーデータを記録再生させる記録再生方法及び装置を提供することである。
【００１０】
本発明のまた更なる目的、長所及び特徴については、後述する発明の実施形態及び図面に基づいて詳細に説明する。
【課題を解決するための手段】
【００１１】
前記目的を達成するための本発明のデータ構造は、最大記録速度を表す第１の情報と、最小記録速度を表す第２の情報と、最大記録速度、最小記録速度とは異なる予め決められた記録速度を表す第３の情報と、基本記録速度を表す第４の情報とを含む記録速度情報を含むことを特徴とする。
【００１２】
本発明の記録媒体に制御情報を記録する方法は、少なくとも１つは基本記録速度情報である複数の記録速度情報と、特定の記録速度に関連する少なくとも１つの記録関連情報情報を含む制御情報とを記録することを特徴とする。
【００１３】
本発明の光記録媒体にデータを記録する方法は、記録速度情報を発生するステップと、光記録媒体の特定領域に記録速度情報を記録するステップとを含み、その記録速度情報は、最大記録速度を表す第１の情報と、最小記録速度を表す第２の情報と、最大記録速度、最小記録速度とは異なる予め決められた記録速度を表す第３の情報、基本記録速度を表す第４の情報とからなることを特徴とする。
【００１４】
本発明の光記録媒体にデータを記録または再生する方法は、光記録媒体の特定領域から速度情報を読み出すステップと、その読み出した速度情報に基づいて光記録速度の主データ領域上にデータを記録するステップとを含み、その速度情報は、最大記録速度を表す第１の情報と、最小記録速度を表す第２の情報と、最大記録速度、最小記録速度とは異なる予め決められた記録速度を表す第３の情報、基本記録速度を表す第４の情報とからなることを特徴とする。
【００１５】
本発明の記録速度情報を有する光記録媒体は、その記録速度情報が、最大記録速度を表す第１の情報と、最小記録速度を表す第２の情報と、最大記録速度、最小記録速度とは異なる予め決められた記録速度を表す第３の情報、基本記録速度を表す第４の情報とからなることを特徴とする。
【００１６】
本発明の光ディスクは、記録可能な領域と事前記録された領域とを備えた少なくとも１つの記録層を含む光ディスクであって、各記録層の事前記録された領域内にディスク制御情報が区分されて記録され、そのディスク制御情報内に、少なくとも１つは基本記録速度情報である複数の記録速度情報と記録速度に関連する複数の記録関連情報とが記録されていることを特徴とする。
【００１７】
本発明の光ディスクの記録方法は、光ディスク内の管理領域に記録されたディスク制御情報を読み出し、ディスク制御情報内に記録された複数の記録速度情報と記録速度に適するそれぞれの記録関連情報を記憶するステップと、その記憶された複数の速度情報と記録関連情報を参照して光ディスクに適用すべき記録速度を決めるステップと、その決められた記録速度で記録を行うステップとを含むことを特徴とする。
【００１８】
本発明の光ディスクにデータを記録再生装置は、データを読み書きするピックアップと、記録速度情報として最大記録速度、最小記録速度、基本記録速度、最大／最小記録速度とは異なる予め決められた記録速度情報を含むディスク制御情報を光ディスクの管理領域から読み出すようにピックアップを制御し、記録速度情報から記録するための記録速度を決め、その決められた記録速度に基づいて記録を制御する制御部とを含むことを特徴とする。
【発明の効果】
【００１９】
以上説明したように本発明によれば、高密度光ディスクにおいて高速に対応するディスク制御情報を提供する各種の方法を提示した。この結果、規格化されたディスク制御情報を統一的に適用することができ、光ディスクの記録再生に効率よく対応できるという長所を有する。
【図面の簡単な説明】
【００２０】
【図１】本発明が適用される単層構造のディスクを示す図である。
【図２】本発明が適用される二  層構造のディスクを示す図である。
【図３】本発明のディスク制御情報が記録される管理領域を示し、当該領域にディスク情報が記録される形態を示す図である。
【図４ａ】本発明に係るディスク情報を記録する第１の実施形態を示す図である。
【図４ｂ】本発明に係るディスク情報を記録する第１の実施形態を示す図である。
【図４ｃ】本発明に係るディスク情報を記録する第１の実施形態を示す図である。
【図５ａ】第１の実施形態に係るディスク記録方法を示す図である。
【図５ｂ】第１の実施形態に係るディスク記録方法を示す図である。
【図６ａ】本発明に係るディスク情報を記録する第２の実施形態を示す図である。
【図６ｂ】本発明に係るディスク情報を記録する第２の実施形態を示す図である。
【図６ｃ】本発明に係るディスク情報を記録する第２の実施形態を示す図である。
【図７ａ】本発明に係るディスク情報を記録する第３の実施形態を示す図である。
【図７ｂ】本発明に係るディスク情報を記録する第３の実施形態を示す図である。
【図７ｃ】本発明に係るディスク情報を記録する第３の実施形態を示す図である。
【図７ｄ】本発明に係るディスク情報を記録する第３の実施形態を示す図である。
【図８】本発明に係るディスク制御情報を用いた光ディスクの記録再生装置を示す図である。
【発明を実施するための形態】
【００２１】
以下、本発明に係る光ディスクのディスク制御情報の記録方法や光ディスクの記録再生方法などに対する好適な実施形態を、添付した図面を参照して詳細に説明する。なお、可能な限り図面中の同一の機能及び構成要素については同一の参照符号を付する。
【００２２】
説明の便宜上、光ディスクは、ブルーレイディスク（ＢＤ）の場合を例に挙げて説明するが、ブルーレイディスク（ＢＤ）の他にも、本発明の特徴は、ディスク制御情報が記録される光ディスクとして、例えば、ＤＶＤ−ＲＡＭ、ＤＶＤ−ＲＷ、ＤＶＤ＋ＲＷ、ＤＶＤ−Ｒ、ＤＶＤ＋Ｒといったような類似のディスクにも同様に適用可能であることは自明である。
【００２３】
本発明で使用される用語は、可能な限り広く使用される一般の用語を選択したが、特定の場合は、出願人が任意に選定した用語もあり、この場合は、発明の詳細な説明における該当する部分において詳細にその意味を記載したので、単なる用語の名称自体ではない用語がもつ意味をもって本発明を把握すべきである。
【００２４】
本発明において“ディスク制御情報”とは、ディスクの特定領域、例えば、記録可能な領域または事前記録された領域内に記録される情報を意味し（事前記録された領域とはエンボス領域と知られており、ディスクの製作者により記録され、更なる記録が不可能な領域を意味する。）、制御情報はディスクの記録再生のために必要な情報を含んでいる。
【００２５】
ディスク制御情報を、ブルーレイディスク（ＢＤ）では、“ディスク情報（以下ではＤＩともいう）”と称し、ＤＶＤ−ＲＡＭ／−ＲＷ／＋ＲＷ／−Ｒ／＋Ｒでは、“物理フォーマット情報(Physical format information)”ともいう。従って、本発明の技術的思想は、ＤＶＤ−ＲＡＭ／−ＲＷ／＋ＲＷ／−Ｒ／＋Ｒでの“物理フォーマット情報”にも同様に適用可能であることは自明である。
【００２６】
また、本発明のディスク情報は、情報の特定されていないある単位として記録され、これは、カウント可能な情報であって、例えば、第１番目または第２番目のディスク情報といったようにカウントすることができる。
【００２７】
図１と図２は、本発明に係る光ディスクの構造を示す図である。本発明が適用される光ディスクは、記録可能な光ディスクであればよく、複数回書き換え可能な光ディスクであるか、または１回だけ記録可能な光ディスクであるかを問わずに適用可能である。
【００２８】
図１は、本発明の光ディスクの構造として記録層が１つの単層構造について示す図である。光ディスクの内周には管理領域としてのリードイン領域が設けられ、光ディスクの外周領域には、管理領域としてのリードアウト領域が備えられている。特に、ディスクの内周領域は、事前記録された領域と記録可能な領域とに区分されている。
【００２９】
ＢＤ−ＲＥやＢＤ−ＷＯでは、前記事前記録領域をＰＩＣ領域と称し、ＰＩＣ領域にはＰｅｒｍａｎｅｎｔ Ｉｎｆｏｒｍａｔｉｏｎ ＆ Ｃｏｎｔｒｏｌ ｄａｔａと称するデータが記録される。また、ＰＩＣ領域には、ディスクの記録などに必要なディスク制御情報として、前述したディスク情報（ＤＩ）が記録される。
【００３０】
データ領域には、ユーザーの所望する実際のデータが記録されるユーザーデータ領域と欠陥領域の発生時にこれに対処するためのスペア領域（ＩＳＡ、ＯＳＡ）がそれぞれ備えられている。また、ＢＤ−ＷＯのような１回だけ記録可能な光ディスクでは、ディスクの欠陥管理、一般管理のための情報を記録するＴＤＭＡ（Temporary Defect Management Area）が設けられているが、書き換え可能なＢＤ−ＲＥの場合、ＴＤＭＡは不要な領域であるため予備領域として残しておく。
【００３１】
本発明は、事前記録された領域または記録可能な領域にディスクの記録再生に必要なディスク制御情報としてのディスク情報（ＤＩ）を記録する方法を提供するものである。ディスクの種類毎に事前記録された領域への記録方式を変えることはいうまでもない。ＢＤ−ＲＥやＢＤ−ＷＯの場合、前記事前記録された領域としてのＰＩＣ領域には、２位相高周波変調された信号で記録し、その高周波変調された信号を特定の再生方式によって再生し、これにより情報を取得する。
【００３２】
図２は、記録層が複数である二層の場合について示す図である。二層中のリードインで始まる記録層を第１の記録層（層 ０）とし、リードアウトで終わる記録層を第２の記録層（層 １）とする。
【００３３】
二層ディスクにおいてもディスクの内周領域のリードインとリードアウト領域には、前述したのと同様のＰＩＣ領域が備えられ、そのＰＩＣ領域内に、同一のディスク情報（ＤＩ）が記録される。
【００３４】
図３は、本発明に係るＰＩＣ領域の構造を示す図である。ＢＤ−ＲＥとＢＤ−ＷＯにおける最小記録単位を“１クラスタ”で表す。５４４クラスタが集まって上位の記録単位である１フラグメントを形成し、ＰＩＣ領域は５つのフラグメントが集まっている。第１番目のフラグメント（ＩＦＯ）の先頭クラスタにはディスク情報が記録されている。ディスク情報は、記録層ごと及び当該光ディスクの適用可能な記録速度ごとに記録されている。１つのディスク情報は１１２バイトで構成され、１１２バイトから構成されたディスク情報を、特にディスク情報フレーム（ＤＩフレーム）という。また、残りのフラグメントの先頭クラスタにも同内容のディスク情報を繰り返して記録しておくことにより、ディスク情報の損失に対応できるようにした。
【００３５】
また、それぞれのディスク情報内には、当該記録層を表す情報と、記録速度を表す速度情報と、速度に対応する記録関連情報とが記録されている。当該光ディスクの記録再生にかかる上記情報を活用することにより、記録層ごとの及び記録速度ごとの最適の記録条件を提供することができる。
【００３６】
即ち、本発明のディスク情報（ＤＩ）は、当該ディスクが支援する特定の記録速度とこれに関連する記録関連情報を提供することを特徴とし、特に、記録層が複数である場合にもそれぞれの記録層別に支援する特定の記録速度と、それに関連する記録関連情報とを規格化された方法で提供することを特徴とする。
【００３７】
上記したディスク情報（ＤＩ）の具体的な構成は、ブルーレイディスク（ＢＤ）の場合に関するものであって、ＤＶＤの他の系列のディスクであれば前記構造とは異なる構成を有してもよいことは言うまでもない。特に、ディスク情報（ＤＩ）の大きさがブルーレイディスクの場合には、１１２バイトであることを例に挙げて説明したが、共通の情報を繰り返すことなく、同一の記録層のディスク情報（ＤＩ）を１つの情報とし、記録速度ごとに記録関連情報を変えるように構成するようにしてもよい。
【００３８】
記録関連情報の具体的なパラメーターを記録する方法について付言するにあたって、一般に記録可能な光ディスクは、光ディスク内の記録層にピックアップを介してレーザービームを照射させて記録層の媒質特性を変更させることにより記録を行っている。従って、レーザービームの強度（記録パワー）をどの程度にするか、記録パワーを照射する時間をどの程度にするかなどを決めなければならない。前記のようにして決められた各種の記録関連情報を、一般に“記録関連情報（記録ストラテジィ：ＷＳ）”と称し、特定の“記録関連情報（ＷＳ）”の具体的な内容を“記録関連情報（ＷＳ）パラメーター”と称す。
【００３９】
図４ａ〜図４ｃ及び図５ａ、図５ｂは、本発明のディスク制御情報を記録する第１の実施形態を示し、特に、高速に対処するために各種の記録速度を１つの記録速度群として記録する方法を示す図である。
【００４０】
本発明の第１の実施形態は、高速に対処できるディスク情報の記録方法及び光ディスクへのデータの記録方法などに係り、特に、高速ディスクに適用可能なＣＡＶ（回転速度一定）方式に有利な方式に係る。なお、本発明が必ずしもＣＡＶ方式に限定されるものではない。
【００４１】
これについて詳述すれば、ＣＡＶ方式は、同一の回転数（ｅｘ、ｒｐｍ）をディスクの内周と外周に適用する方式であるため、回転半径の小さいディスクの内周より回転半径の大きいディスクの外周の速度が増加する。これをＢＤディスクの内外周半径に対比してみると、約２．４倍程度の速度の差が生じる。
【００４２】
従って、ＣＡＶ方式の適用の際、内周で１倍速で記録するとしても外周では約２．４倍の速度で記録しなければない。内周で４倍速で記録すると外周では約９．６倍速で記録しなければならないということを意味し、逆に、外周で６倍速で記録するとすれば、内周では約２．５倍速で記録しなければならないということを意味する。従って、ＣＡＶ方式による場合、ディスクの内周と外周との速度差が大きくなるため、記録すべきディスクの位置毎に適用すべき最適の記録速度と記録関連情報（ＷＳ）を選定して記録する必要がある。また、システムにおいて最適の記録速度と記録関連情報（ＷＳ）を活用するためには、これらの情報を規格化されたディスク情報として提供する必要がある。
【００４３】
図４ａは、本発明に係る光ディスクの制御によりディスク情報を記録する一実施形態を示す図であって、ディスク情報の構造を示している。
【００４４】
図４ａによれば、それぞれのディスク情報が一連番号で順序づけられ、その順番を１バイトで記録する。例えば、その情報は、ディスク情報内の“ＤＩｆｒａｍｅ ｓｅｑｕｅｎｃｅ ｎｕｍｂｅｒ ｉｎ ＤＩ ｂｌｏｃｋ”と称される第５番目のバイトに記録され、、“００ｈ、０１ｈ、０２ｈ、０３ｈ、０４ｈ、０５ｈ、０６ｈ、０７ｈ”として表される。即ち、第５番目のバイトの情報が“００ｈ”であれば、第１番目のディスク情報を意味し、“０７ｈ”であれば、第８番目のディスク情報であることを意味する。さらに他の意味付も可能である。例えば、ディスク情報の一連番号を決めるバイト（例えば、第５番目のバイト）を単なる番号だけではなく、当該ディスク情報が有する特定の記録層における適用可能な記録速度をも意味するように定義してもよい。例えば、“００ｈ”は、第１の記録層の１倍速ディスク情報を意味し、“０１ｈ”は、第２の記録層の１倍速ディスク情報を意味するというようにである。
【００４５】
さらに、ディスク情報内の特定領域に、当該ディスク情報が指定する速度情報と当該速度に対応する記録関連情報（ＷＳ）をディスク情報内の前もって予定した特定位置に記録しておく。例えば、ディスク情報内の第Ｎ〜（Ｎ＋４）番目のバイトには、当該ディスク情報の速度情報を記録し、第Ｍ〜１１１番目のバイトには、当該速度に対応する記録関連情報（ＷＳ）を記録する。
【００４６】
特に、本発明は、高速に対処できるディスク情報を提供することに特徴がある。ディスク情報の速度情報と記録関連情報（ＷＳ）とを、複数の速度情報、すなわち、最適速度（Ｖｎｏｍ）、最大速度（Ｖｍａｘ）、最小速度（Ｖｍｉｎ）、中間速度（Ｖｉｎｔ）ごとに記録する。
【００４７】
最適速度には、基本速度情報が記録され、一般に、高速ディスクでは、基本速度が２倍速から始まる。適用可能な速度が増加すると、基本速度も増加する。
【００４８】
また、最大速度には、当該ディスク情報の適用可能な最大速度に関連する情報を記録し、最小速度には、当該ディスク情報の適用可能な最大速度を２．４で割った値の速度に関連する情報を記録し、中間速度には、最小速度に１．７を掛けた値の速度に関連する情報を記録する。
【００４９】
なお、最大速度、最小速度、中間速度の速度値を決める関係は、本発明が適用されるＢＤディスクの内外周の半径比を考慮し、説明の便宜のために決めたものであって、他のディスクでは変えて適用することもでき、同一のＢＤディスクであってもディスクの特性に応じて他の値に設定してもよいことは自明である。
【００５０】
最適速度（２倍速）に関連しては、各ディスク情報に同一の情報が記録されることが好ましく、最大速度、最小速度、中間速度は、当然の如く、当該ディスク情報の適用可能な最大速度値によって変わる。
【００５１】
中間速度を複数設定することも可能であり、本発明は、少なくとも１つの中間速度を有することを特徴とする。従って、全体としては、１つのディスク情報内に少なくとも４つ以上の速度情報を含むことになり、速度情報が多いほどシステムの運用に際してより有利であるため、ディスク情報内の記録可能な領域を最大限に活用し、多くの中間速度情報を設定しておくのが好ましい。
【００５２】
図４ｂは、図４ａに示すように複数の速度ごとの情報を備えた本発明のディスク情報に対する具体的な記録方法を例を挙げて示す図である。特に、現在論議中の１倍速ＢＤ−ＲＥディスク情報との互換性を保持しながらディスク情報を記録する方法について示している。図４ｂでは、中間速度情報が１つである場合を例に挙げて示した。
【００５３】
ディスク情報内の第３２〜３５番目のバイトに、３通りの速度としての基本速度（Ｖｎｏｍ）、最大速度（Ｖｍａｘ）、最小速度（Ｖｍｉｎ）を予め決められた定義によって記録し、関連して第４８〜７１番目のバイトに、記録関連情報（ＷＳ）としての３通りの速度に対する記録パワー情報を記録し、第７６〜８４番目のバイトに、他の記録関連情報（ＷＳ）としての３通りの速度に対応する記録パルスのスタート時点を記録し、第８９〜９７番目のバイトに、さらに他の記録関連情報（ＷＳ）としての３通りの速度に対応する消去パルスのスタート時点を記録する。
【００５４】
前記のように基本的な３通りの速度（Ｖｎｏｍ、Ｖｍａｘ、Ｖｍｉｎ）の他、本発明は、更に中間速度（Ｖｉｎｔ）に係る情報を少なくとも１つ記録しておく。これは、ディスク情報内の予備領域を用いて記録する。例えば、第１９番目のバイトには、中間速度（Ｖｉｎｔ）を予め決められた定義によって記録し、第２０〜２３番目と第４４〜４７番目のバイト（計８バイト）には、中間速度に対応する記録関連情報（ＷＳ）としての記録パワー情報を記録しておき、第９９〜１０１番目のバイトには、他の記録関連情報（ＷＳ）としての中間速度に対応する記録パルスのスタート時点を記録し、第１０２〜１０４番目のバイトには、さらに他の記録関連情報（ＷＳ）としての中間速度に対応する消去パルスのスタート時点を記録する。
【００５５】
前述したように、複数の中間速度を記録しておきたい場合には、同様にディスク情報内の予備領域にさらに他の中間速度に係る情報を記録すればよい。
【００５６】
図４ｃは、本発明の図４ａに示すようにディスク情報を記録する場合、特に、記録層が二層の場合における記録されるディスク情報を示す図である。なお、記録層が単層の場合にも同様に適用可能であることは言うまでもない。
【００５７】
例えば、光ディスクが記録層別に異なる３つの速度情報が必要な場合、それぞれの速度に対応する６つのディスク情報が必要となり、それぞれのディスク情報は、一連番号と、これに対応する速度情報及び記録関連情報（ＷＳ）を予め設定された領域に割り当てて記録する。
【００５８】
例えば、表したい速度がそれぞれ１、２、６倍速であれば、第１番目から第３番目のディスク情報は、第１の記録層に対するディスク情報を意味し、このうち、第１番目のディスク情報は、第１の記録層の１倍速ディスク情報であって、一連番号が“００ｈ”であり、その速度と記録関連情報が前もって予定した位置に記録される。速度情報は、第Ｎ〜（Ｎ＋４）番目のバイトに記録し、記録関連情報は、第Ｍ〜１１１番目のバイトに記録する。
【００５９】
第２番目のディスク情報は、第１の記録層の２倍速ディスク情報であって、一連番号が“０１ｈ”であり、その速度と記録関連情報は、第１番目のディスク情報と同様にそれぞれ前もって予定した位置に記録する。第３番目のディスク情報は、第１の記録層の６倍速ディスク情報であって、一連番号が“０２ｈ”であり、その速度と記録関連情報は、第１番目、第２番目のディスク情報と同様にそれぞれ前もって予定した位置に記録する。
【００６０】
第４番目から第６番目のディスク情報は、第２の記録層に対するディスク情報を意味する。第４番目のディスク情報は、第２の記録層の１倍速ディスク情報であって一連番号が“０３ｈ”であり、第５番目のディスク情報は、第２の記録層の２倍速ディスク情報であって一連番号が“０４ｈ”であり、第６番目のディスク情報は、第２の記録層の６倍速ディスク情報であって一連番号が“０５ｈ”に当たる。第４番目から第６番目のディスク情報のいずれもその速度と記録関連情報を第１の記録層のディスク情報と同様にそれぞれ同一の位置に記録する。
【００６１】
図４ａ〜図４ｃに示す本発明の第１の実施形態は、１つのディスク情報内に複数の速度情報とその速度に対する記録関連情報（ＷＳ）とのいずれもを記録しておくことを例に挙げて説明したが、必要に応じて、１つのディスク情報には特定の速度情報に関連する１つの記録関連情報（ＷＳ）だけを記録し、残りの記録関連情報（ＷＳ）は、他のディスク情報に記録してもよい。
【００６２】
例えば、４通りの速度情報の場合、先の実施形態に比べて更に４倍のディスク情報の個数が必要であることを意味するが、現在、図３に示すようなＰＩＣ領域は、１１２バイトのディスク情報を多数記録可能な領域であるため、必要に応じて、十分に多くのディスク情報を記録しておくことも可能である。従って、ディスク情報内に記録関連情報（ＷＳ）を１つだけ記録しておくと、中間速度を記録する領域がより多く割り当てることができるという長所を有する。
【００６３】
また、逆に、記録関連情報を除く各ディスク情報に共通的に記録される情報は、共通情報として一回だけ記録し、記録速度ごとの記録関連情報だけを変更し記録することも可能である。
【００６４】
図５ａ、図５ｂは、第１の実施形態により光ディスクに記録を行う記録方法を説明するための概略図であって、図５ａは、中間速度を１つだけ用いた場合を示し、図５ｂは、中間速度を少なくとも２つ用いた場合を示す図である。
【００６５】
即ち、光ディスクが光記録再生装置内にロードされると、光ディスク内のディスク制御情報としての最大速度（Ｖｍａｘ）、最小速度（Ｖｍｉｎ）、中間速度（Ｖｉｎｔ）のそれぞれに係る記録関連情報を読み出す。
【００６６】
ディスクの記録可能な内周から外周までの領域を３つの区間に仮想的に分割し、それぞれに対し内周領域には最小速度（Ｖｍｉｎ）、中間領域には中間速度（Ｖｉｎｔ）、外周領域には最大速度（Ｖｍａｘ）を適用して記録を行う。これは、記録を行うべき特定領域にこれに適する記録速度とその速度に適した記録関連情報（ＷＳ）を適用し、記録パワーや記録パルスタイミングなどを調節して記録することを意味する。
【００６７】
例えば、ディスクの適用可能な最大速度が６倍速であるとすれば、６倍速に係るディスク情報を読み出す。ディスク情報内に、最大速度（Ｖｍａｘ）が６倍速である場合には、最小速度は２．５倍速（Ｖｍａｘ÷２．４）、中間速度（Ｖｉｎｔ）は４．２５倍速（Ｖｍｉｎ×１．７）などと記録されており、合わせて、それぞれの速度ごとに記録関連情報（ＷＳ）が記録されているため、記録再生装置（図８）は、記録を行う特定領域に適用すべき記録速度と記録関連情報（ＷＳ）を予め確認でき、当該領域への記録の際、記録関連情報（ＷＳ）に速やかに対応できるのみならず、最適の記録速度を使用することによりエラー発生の確率を下げることもできる。
【００６８】
図５ｂは、ディスク情報内に中間速度を多数記録しておいた場合における、光ディスクに記録を行う方法を示す図であって、光ディスクの記録可能な領域をディスク情報内の速度情報の数（Ｖｎｏｍを除く）に対応して複数の区間に区分し、内周には最小速度（Ｖｍｉｎ）を適用し、外周には最大速度（Ｖｍａｘ）を適用し、その他、ディスクの中間領域は、設定された中間速度の個数に対応して分割し、それぞれの中間速度（Ｖｉｎｔ−１〜Ｖｉｎｔ−ｎ）を適用して記録を行うことにより、当該区間における最適の記録速度が決められ、決められたその速度ごとに記録関連情報（ＷＳ）を用いて記録することが可能になる。
【００６９】
図６ａ〜図６ｃは、本発明のディスク制御情報を記録する第２の実施形態を示す図であって、特に、高速に対処するために、それぞれのディスク情報内にその速度を表す速度情報と速度に対応する記録関連情報を記録することを特徴とする。
【００７０】
図６ａは、本発明の第２の実施形態により光ディスクのディスク情報を記録する一例を示す図であって、ディスク情報の構造を簡略に示している。
【００７１】
図６ａは、それぞれのディスク情報の順番を一連番号で決めておき、その順番を１バイトで記録しておく。例えば、その情報はディスク情報内の“ＤＩ ｆｒａｍｅ ｓｅｑｕｅｎｃｅ ｎｕｍｂｅｒ ｉｎ ＤＩ ｂｌｏｃｋ”と称される第５番目のバイトに記録され、簡略に“００ｈ、０１ｈ、０２ｈ、・・・”などと表示される。即ち、第５番目のバイトの情報が“００ｈ”であれば、第１番目のディスク情報であることを意味し、“０７ｈ”であれば、第８番目のディスク情報であることを意味する。
【００７２】
ディスク情報内の特定領域には、ディスクによって許されたすべての速度情報を特定ビットで表し、ディスク情報内の前もって予定した特定位置に記録しておく。例えば、当該光ディスクが各記録層別に異なる４つの速度情報を必要とすれば、１つの速度情報毎に４ビットを割り当て、これをディスク情報内の第Ｎ、Ｎ＋１番目に第１の記録層（層 ０）に対する速度情報を記録し、第Ｍ、Ｍ＋１番目に第２の記録層（層 １）に対する速度情報を記録する。仮に、ディスクが単層であれば、第Ｍ、Ｍ＋１番目のバイトには“ｚｅｒｏ”値をセットし、４通り以上の異なる速度情報を必要とすれば、Ｎ、Ｎ＋１、Ｎ＋２、・・・といったようにバイトを更に割り当てて使用すればよい。
【００７３】
従って、図６ａに示すように、自分の一連番号に当たる速度情報が前もって予定した特定位置に記録されており、容易に当該ディスク情報の有する速度情報が確認でき、残りのバイト、例えば、第４４〜１１１番目のバイトを活用して、その速度に適する記録パワーや記録パラメーターなどを詳細に記録しておくことができる。
【００７４】
図６ｂは、図６ａに示すように速度情報を表す場合における、特に単層の場合に記録されるディスク情報を例に挙げて簡略に示す図である。光ディスクが異なる４つの速度情報を必要とする場合、それぞれの速度に対応する４つのディスク情報が必要となり、それぞれのディスク情報は、一連番号と、これに対応する速度情報を４ビットずつ割り当てて記録する。
【００７５】
例えば、表したい速度がそれぞれ１、２、４、８倍速であれば、第１番目のディスク情報は、一連番号が“００ｈ”であり、その速度は１倍速を示す“０００１ｂ”と表され、第２番目のディスク情報は、一連番号が“０１ｈ”であり、その速度は２倍速を示す“００１０ｂ”と表され、第３番目のディスク情報は、一連番号が“０２ｈ”であり、その速度は４倍速を示す“０１００ｂ”と表され、最後の第４番目のディスク情報は、一連番号が“０３ｈ”であり、その速度は８倍速を示す“１０００ｂ”と表されている。これは、各速度をバイナリー情報として表したものである。従って、４ビットずつ割り当てた場合における最大に適用可能な速度（“１１１１ｂ”にて表す場合）は１５倍速になる。適用可能な最大速度が１６倍速以上であれば、５ビット以上を割り当てなければならない。
【００７６】
図６ｂは、単層の場合であるため、二層の第２の記録層である層 １に対する速度情報
を表すＭ、第Ｍ＋１番目のバイトは、いずれも“ｚｅｒｏ”にセットし、使用しない情報
として処理するようになる。
【００７７】
図６ｃは、図６ａに示すように速度情報を表す場合における、特に二層の場合に記録されるディスク情報を例に挙げて簡略に示す図である。ディスクが各記録層ごとに異なる４つの速度情報を必要とする場合、各記録層にそれぞれの速度に対応するために計８つのディスク情報が必要となり、それぞれのディスク情報は、一連番号と、これに対応する速度情報を４ビットずつ割り当てて記録する。
【００７８】
例えば、表したい速度が各記録層それぞれ１、２、４、８倍速であれば、第１番目のディスク情報は、一連番号が“００ｈ”であり、その速度は１倍速を示す“０００１ｂ”と表され、第２番目のディスク情報は、一連番号が“０１ｈ”であり、その速度は２倍速を示す“００１０ｂ”と表され、第３番目のディスク情報は、一連番号が“０２ｈ”であり、その速度は４倍速を示す“０１００ｂ”と表され、第４番目のディスク情報は、一連番号が“０３ｈ”であり、その速度は８倍速を示す“１０００ｂ”と表されている。第１番目から第４番目のディスク情報は、第１の記録層（層 ０）に対する情報であってディスク情報の第Ｎ、Ｎ＋１番目のバイトに記録され、４ビットは、各速度をバイナリー情報として表したものである。
【００７９】
同様に、第２の記録層に対しても速度情報を表すことができ、この場合には、ディスク情報の第Ｍ、Ｍ＋１番目のバイトに記録される。即ち、第５番目のディスク情報は、一連番号が“０４ｈ”であり、その速度は１倍速を示す０００１ｂ”と表され、第６番目のディスク情報は、一連番号が“０５ｈ”であり、その速度は２倍速を示す“００１０ｂ”と表され、第７番目のディスク情報は、一連番号が“０６ｈ”であり、その速度は４倍速を示す“０１００ｂ”と表され、最後の第８番目のディスク情報は、一連番号が“０７ｈ”であり、その速度は８倍速を示す“１０００ｂ”と表されている。
【００８０】
この第２の実施形態の場合、ディスク情報内には、速度情報の他にも各速度に適する記録パワー情報と記録パラメーターなどに関する記録関連情報を残りの領域に記録しておく。従って、１つのディスク情報内には、当該ディスク情報の一連番号と当該ディスク情報が表す速度情報、その速度に対応する記録関連情報（ＷＳ）などがそれぞれ記録されることになる。
【００８１】
また、第２の実施形態のように速度情報を表すとき、第５番目のバイト情報を予め特定の速度として定義しておき、第Ｎ、Ｎ＋１、Ｍ、Ｍ＋１番目のバイトには、これを確認する意味の速度情報を記録するようにしてもよい。
【００８２】
例えば、第５番目のバイト情報が“００ｈ”であれば、これは、“第１の記録層の１倍速ディスク情報”を、“０７ｈ”であれば、“第２の記録層の８倍速ディスク情報”といったように予め定義しておき、速度情報を記録する第Ｎ、Ｎ＋１、Ｍ、Ｍ＋１番目のバイトに４ビットを割り当てて、的確な速度値を“０００１ｂ”（１倍速）または“０１００ｂ”（８倍速）で記録することで当該ディスク情報が１倍速または８倍速であることをもう一度確認するようにしてもよい。
【００８３】
図７ａ〜図７ｄは、本発明のディスク制御情報を記録する第３の実施形態を示す図であって、特に、高速に対処するために、適用可能な記録速度情報（applicable recording speed information）を記録することを特徴とする。
【００８４】
複数存在するディスク情報から所望の特定の記録層の特定の速度に係るディスク情報を取得するためには、全体のディスク情報を読み出す必要があり、多くの時間が必要になる。例えば、記録層が４つで、記録層ごとの適用可能な速度が８つであるとすれば、計３２のディスク情報が必要となり、記録再生装置は、特定の記録層と特定の速度に関するディスク情報の値を必要とするたびに全体のディスク情報（３２）をサーチしなければならない。そこで、本発明は、ディスク情報内に“ディスク適用可能速度情報”と“ディスク内に存在する記録層情報”を記録し、記録されたこれらの情報を用いて規格化された方法によってディスク情報のサーチができるようにすることをさらに他の特徴とする。
【００８５】
即ち、それぞれのディスク情報内には、共通に“ディスク適用可能速度情報”と“ディスク内に存在する記録層情報”を同一に記録しておき、これらの情報を用いて複数のディスク情報に一連番号を付しておくことにより、サーチしようとする特定の記録層と特定の速度に係るディスク情報を容易に得ることができるようにした。
【００８６】
それぞれのディスク情報内に、１つの記録関連情報（ＷＳ）だけを記録し、当該記録関連情報（ＷＳ）の種類を区別する識別情報を別に記録しておくことにより、記録再生装置（図８）での記録関連情報（ＷＳ）の利用が便利になる。その上、ディスク情報への記録時にも特定の速度と特定の記録層については１つの記録関連情報（ＷＳ）だけを選択して記録すれば済むため、ディスクの製作者に対しても便利さが提供できる。
【００８７】
以下、図７ａ〜図７ｄに基づいて本発明のディスク情報を記録する第３の実施形態の方法について詳細に説明する。
【００８８】
図７ａは、本発明のディスク制御情報を記録する第３の実施形態を説明するためにディスク情報の構造を簡略に示した図である。それぞれのディスク情報毎に一連番号を付して順番を決めておき、これを１バイトで記録する。例えば、この情報は、ディスク情報内の“ＤＩ ｆｒａｍｅ ｓｅｑｕｅｎｃｅ ｎｕｍｂｅｒ ｉｎ ＤＩ ｂｌｏｃｋ”フィールドと称される第５番目のバイトに記録される。簡略に“００ｈ、０１ｈ、０２ｈ、・・・”として表示される。
【００８９】
第５番目のバイトの情報が“００ｈ”であれば、第１番目のディスク情報であることを意味し、“０７ｈ”であれば、第８番目のディスク情報であることを意味する。本発明では、後述する第Ｎ番目のバイトと第Ｌ番目のバイトにより第５番目のバイトの一連番号の有する意味が決められる。これについては、後述する。
【００９０】
ディスク情報内の特定領域（第Ｎ番目のバイト）に、当該ディスクの適用可能速度情報を記録し、その領域を“Ｗｒｉｔｉｎｇ  ｓｐｅｅｄ  ｆｌａｇ”フィールドとする。例えば、１バイトを割り当てられたその領域で、当該ディスクの特定の速度である８通りの速度に対応するそれぞれのビット位置で適用可否を表している。即ち、対応するビット位置におけるビット値が“０ｂ”であればその速度を許容（支援）しないということを意味し、“１ｂ”であればその速度を許容（支援）するということを意味する。従って、１バイト内のそれぞれのビット（ｂ０〜ｂ７）は特定の速度の適用可否を指示するフラグ情報である。
【００９１】
例えば、当該ディスクが１倍速（１Ｘ）に対してのみ許容可能であれば、第Ｎ番目のバイトは“００００  ０００１”として記録され、仮に、８通りの速度のすべてに対して許容可能であれば、第Ｎ番目のバイトは“１１１１  １１１１”として記録されるはずである。
【００９２】
前記において１倍速（１Ｘ）と２倍速（２Ｘ）は、ほぼすべてのディスクで利用される速度であるので予め適用することを決めておき、第３番目以後の速度に対しては、その速度を規格で決めるようにしても良い。例えば、第３番目の速度（３ｒｄ  Ｘ）を５倍速、第４番目の速度（４ｔｈ  Ｘ）を６倍速、第５番目の速度（５ｒｄ  Ｘ）を８倍速、第６番目の速度（６ｒｄ  Ｘ）を１２倍速、第７番目の速度（７ｔｈ  Ｘ）を１４倍速、第８番目の速度（８ｔｈ  Ｘ）を１６倍速などと決めることができる。
【００９３】
従って、当該ディスクが第４番目の速度まで記録を許容するとすれば、“Ｗｒｉｔｉｎｇ  ｓｐｅｅｄ  ｆｌａｇ＝００００  １１１１ｂ”と記録される。なお、第４番目の速度は許容するものの第３番目の速度は許容しない場合としての“Ｗｒｉｔｉｎｇ  ｓｐｅｅｄ  ｆｌａｇ＝００００  １０１１ｂ”は許容されない。即ち、“Ｗｒｉｔｉｎｇ  ｓｐｅｅｄ  ｆａｌｇ”フィールドは、常に上位ビットが“１ｂ”と設定されると、以降の下位ビットのいずれも“１ｂ”と設定されなければならず、上位ビットが“１ｂ”であるにもかかわらず下位ビットが“０ｂ”と設定されることは許されないということを意味する。
【００９４】
ディスク情報内の他の特定の領域（第Ｌ番目のバイト）には、当該ディスク内に存在する記録層の数を知らせる記録層情報を記録する。その領域を“Ｎｕｍｂｅｒ  ｏｆ  Ｒｅｃｏｒｄｉｎｇ Ｌａｙｅｒ”フィールドとする。例えば、１バイトを割り当てた同領域には、記録層の数を意味する値を２進数で表すことができ、記録層が図１に示すような単層の場合は、第Ｌ番目のバイトは“００００  ０００１”として記録され、記録層が図２に示すような二層の場合は、第Ｌ番目のバイトは“００００  ００１０”として記録され、記録層が４つである場合は、第Ｌ番目のバイトは“００００  ０１００”として記録される。
【００９５】
現在、一般に考慮されている記録層の数には制限があるため（現在２つの記録層）、第Ｌ番目のバイト内において４ビットだけを用いても計１５の記録層（“１１１１”である場合）を表すことができるため十分である。この場合には、第Ｌ番目のバイトの残りの領域（４ビット）にさらに他の有効な情報を記録することもできることは自明である。
【００９６】
さらに、ディスク情報内のさらに他の特定の領域（第Ｍ番目のバイト）に、当該ディスク情報内の第Ｐ〜１１１番目のバイトに記録関連情報（ＷＳ）の種類を区別する識別情報を記録する。これを“Ｗｒｉｔｅ  Ｓｔｒａｔｅｇｙ（ＷＳ）Ｔｙｐｅ”フィールドと称する。
【００９７】
即ち、本発明のディスク情報においては、特定の速度と特定の記録層に対し１つの記録関連情報（ＷＳ）を記録し、規格化された複数のタイプからディスク製作者が選択的に記録関連情報（ＷＳ）を選択できるようにした。従って、当該ディスク情報が第１のタイプの記録関連情報（ＷＳ−１）であれば、第Ｍ番目のバイトには“００００ ０００１”として記録し、当該ディスク情報が第２のタイプの記録関連情報（ＷＳ−２）であれば、第Ｍ番目のバイトには“００００ ００１０”として記録する。実質的な記録関連情報（ＷＳ）は第Ｐ〜１１１番目のバイトに記録されるが、第Ｍ番目のバイトに決められた記録関連情報（ＷＳ）のタイプに連動した値として記録する。第Ｍ番目のバイトに記録される記録関連情報（ＷＳ）のタイプは、すべてのディスク情報に対して選択的に記録することができるが、すべての記録再生装置（図８）が必ず支援することと予想される１倍速のディスク情報に対しては、規格として定めた１つの記録関連情報（ＷＳ）のタイプを強制的に適用しておくことも可能である。
【００９８】
この記録関連情報（ＷＳ）は、各種の方式で記録可能である。ディスクが高密度／高速化するほど記録層の媒質特性のみならず、記録速度（別に表現すればディスク回転数）などに大きな影響を受けるため、より精度のよい方式が要求される。その各種の記録関連情報（ＷＳ）としては、例えば、次のようなものが挙げられる。
【００９９】
第一は、記録層媒質に形成する記録マーク（ｍａｒｋ）の大きさ（ｎ）より１つ少ない記録パルスを有する方式があり（これを“（ｎ−１）ＷＳ”ともいう）、第二は、記録マークの大きさ（ｎ）の半分の記録パルスを有する方式が挙げられる（これを“ｎ／２ ＷＳ”ともいう）。その他にも新しい記録関連情報（ＷＳ）が開発されつつある。異なる種類の記録関連情報（ＷＳ）は、これに適用するパラメーターもすべて変わってくるため、前記のように各種の方式の記録関連情報（ＷＳ）が存在する場合に、ディスク製作者は、このうちから選ばれた第Ｍ番目のバイトに記録された記録関連情報（ＷＳ）のタイプによって記録パワーをテストし、その結果をディスク情報内の第Ｐ〜１１１番目のバイトに記録関連情報（ＷＳ）パラメーターとして記録する。
【０１００】
前記のように記録された第Ｎ番目のバイトの“速度情報”と第Ｌ番目のバイトの“記録層情報”から記録再生装置（図８）は、当該ディスク内にディスク情報がいくつあるかが分かる。即ち、適用可能な速度数に記録層の数を掛けた値が存在するディスク情報の数になる。本発明では、前記のように特定の速度と特定の記録層に対して１つの記録関連情報（ＷＳ）だけを適用したため、ディスク情報の数を決めるに際しては、記録関連情報（ＷＳ）の種類と数は考慮しなくてよい。
【０１０１】
前記のようにして決められるディスク情報の全数に対する情報もディスク情報内の特定領域（例えば、第４番目のバイトなど）に記録しておいてもよい（図示せず）。
【０１０２】
従って、前記のようにして決められる複数のディスク情報は、一連番号を付してその順番が決められ（これを第５番目のバイトに記録することについては既に前述した）、それぞれのディスク情報は、一連番号にて予め決められた意味の速度と記録層を指定するといったようにプログラムすることが可能になる。
【０１０３】
即ち、例えば、第Ｎ番目のバイトが“００００ １１１１”とするとディスクの適用可能な速度が４つであることが分かり、第Ｌ番目のバイトが“００００ ００１０”とするとディスク内に存在する記録層が２つであることが分かり、ディスク情報は、計８つが必要になる。これらを、一連番号として“００ｈ〜０７ｈ”とし、“００ｈ”のディスク情報は（１倍速、第１の記録層）、“０１ｈ”のディスク情報は（１倍速、第２の記録層）、“０２ｈ”のディスク情報は（２倍速、第１の記録層）、“０３ｈ”のディスク情報は（２倍速、第２の記録層）、“０４ｈ”のディスク情報は（第３番目の速度、第１の記録層）、“０５ｈ”のディスク情報は（第３番目の速度、第２の記録層）、“０６ｈ”のディスク情報は（第４番目の速度、第１の記録層）、“０７ｈ”のディスク情報は（第４番目の速度、第２の記録層）とそれぞれ関連させて予め決めることができる。
【０１０４】
前記例は、速度を優先させたが、記録層を優先させることも可能であるのはいうまでもない。即ち、（第１の記録層、１倍速）、（第１の記録層、２倍速）の順に決めることができる。
【０１０５】
従って、記録再生装置（図８）は、所望する特定の速度と特定の記録層に対するディスク情報を獲得するために、すべてのディスク情報を再生して確認しなくても、それぞれのディスク情報内に共通に記録された第Ｎ番目のバイトの“速度情報”と第Ｌ番目のバイトの“記録層情報”から、一連番号として第何番目のディスク情報が、所望する特定の速度と特定の記録層に関連するディスク情報であるか否かを容易に確認することができる。
【０１０６】
図７ｂは、図７ａに示す第３の実施形態を拡張した例であって、例えば、ディスクの適用可能な速度が８通りの速度を超える場合は、図７ａの第Ｎ番目のバイト（“Ｗｒｉｔｉｎｇ ｓｐｅｅｄ ｆｌａｇ”フィールド）を拡張し、第Ｎ１番目のバイト（“Ｗｒｉｔｉｎｇ ｓｐｅｅｄ ｆｌａｇ１”フィールド）に第１〜第８倍速の適用可否をフラグ（ｆｌａｇ）で表し、さらに他のバイトを割り当てて、その第Ｎ２番目のバイト（“Ｗｒｉｔｉｎｇ ｓｐｅｅｄ ｆｌａｇ２”フィールド）に第９〜第１６倍速の適用可否をフラグ（ｆｌａｇ）で表すことができることを示している。その他のバイトに記録される内容は、図７ａに示す第３の実施形態と同一であるためその説明を省略する。
【０１０７】
図７ｃは、図７ａに示す第３の実施形態によりディスク情報を記録する一例を示す図であって、すべてのディスク情報に共通に記録された第Ｎ番目のバイト（“００００ ００１１ｂ”）から適用可能な速度が２つ（１Ｘ、２Ｘ）であることが分かり、また、第Ｌ番目のバイト（“００００ ００１０ｂ”）からディスク内に存在する記録層が２つであることが分かる。
【０１０８】
従って、図７ｃに示す例は、計４つ（記録層数２×速度数２）のディスク情報が存在し、それぞれのディスク情報は、一連番号として“００ｈ”（１Ｘ、Ｌ０）→“０１ｈ”（１Ｘ、Ｌ１）→“０２ｈ”（２Ｘ、Ｌ０）→“０３ｈ”（２Ｘ、Ｌ１）になる。これは、規格化された内容で予め決められた順番によるものであって、規格によっては他の方式にて順番を決めることができることは前述した通りである。
【０１０９】
それぞれのディスク情報内には、第Ｎ番目のバイトと第Ｌ番目のバイトの他にもディスク情報毎に固有の記録関連情報（ＷＳ）が記録されている。特に、第Ｍ番目のバイトには、当該ディスク情報内の第Ｐ〜１１１番目のバイトに記録された記録関連情報（ＷＳ）のタイプに対する情報が記録されている。即ち、第Ｍ番目のバイトと第Ｐ〜１１１番目のバイトは、ディスク情報毎に異なる情報である。
【０１１０】
図７ｃに示す例によれば、“００ｈ”（１Ｘ、Ｌ０）、“０１ｈ”（１Ｘ、Ｌ１）は、第１のタイプの記録関連情報（ＷＳ−１）が適用された場合であり、“０２ｈ”（２Ｘ、Ｌ０）、“０３ｈ”（２Ｘ、Ｌ１）は、第２のタイプの記録関連情報（ＷＳ−２）が適用された場合である。
【０１１１】
図７ｄは、図７ａに示す第３の実施形態によりディスク情報を記録する他の例を示す図であって、すべてのディスク情報に共通に記録された第Ｎ番目のバイト（“１１１１ １１１１ｂ”）から、適用可能な速度が８つ（１Ｘ、２Ｘ、…、１６Ｘ）であることが分かり、また、第Ｌ番目のバイト（“００００ ０１００ｂ”）から、ディスク内に存在する記録層が４つであることが分かる。従って、図７ｄに示す例は、計３２（記録層数４×速度数８）のディスク情報が存在し、それぞれのディスク情報は、一連番号として“００ｈ”（１Ｘ、Ｌ０）→“０１ｈ”（１Ｘ、Ｌ１）→“０２ｈ”（１Ｘ、Ｌ２）→“０３ｈ”（１Ｘ、Ｌ３）→“０４ｈ”（２Ｘ、Ｌ０）→…→“３１ｈ”（１６Ｘ、Ｌ３）になる。
【０１１２】
それぞれのディスク情報内には、第Ｎ番目のバイトと第Ｌ番目のバイトの他にもディスク情報毎に固有の記録関連情報（ＷＳ）が記録されている。特に、第Ｍ番目のバイトには、当該ディスク情報内の第Ｐ〜１１１番目のバイトに記録された記録関連情報（ＷＳ）のタイプに対する情報が記録されている。即ち、第Ｍ番目のバイトと第Ｐ〜１１１番目のバイトは、ディスク情報毎に異なる情報である。
【０１１３】
図７ｄに示す例によれば、仮に、記録再生装置（図８）が第１の記録層の２倍速（２Ｘ、Ｌ０）に関連するディスク情報をサーチし、当該ディスク情報内の記録関連情報（ＷＳ）を適用して記録を行いたい場合は、まず、すべてのディスク情報に共通に記録された第Ｎ番目のバイトと第Ｌ番目のバイトから、当該ディスクは、計３２のディスク情報が存在し、ディスク情報は、一連番号として“００ｈ”（１Ｘ、Ｌ０）→“０１ｈ”（１Ｘ、Ｌ１）→“０２ｈ”（１Ｘ、Ｌ２）→“０３ｈ”（１Ｘ、Ｌ３）→“０４ｈ”（２Ｘ、Ｌ０）→…→“３１ｈ”（１６Ｘ、Ｌ３）になることが分かる。
【０１１４】
従って、記録再生装置（図８）は、サーチを所望する第１の記録層の２倍速（２Ｘ、Ｌ０）に関連するディスク情報が“０４ｈ”であることが分かり、当該ディスク情報（“０４ｈ”）内の第Ｍ番目のバイトに記録された記録関連情報（ＷＳ）タイプの識別情報（“００００ ０００１ｂ”）から、当該ディスク情報（“０４ｈ”）は、第１のタイプの記録関連情報（ＷＳ−１）として記録されたことが分かり、従って、第Ｐ〜１１１番目のバイトから第１のタイプの記録関連情報（ＷＳ−１）のパラメーター値を読み出し、記録に活用することができる。
【０１１５】
同様に、仮に、記録再生装置（図８）が第４の記録層の１６倍速（１６Ｘ、Ｌ３）に関連するディスク情報をサーチし、当該ディスク情報内の記録関連情報（ＷＳ）を適用して記録を行いたい場合には、前記と同様な過程を通じて当該ディスク情報が“３１ｈ”であることが分かり、記録関連情報（ＷＳ）タイプは、第２のタイプ（ＷＳ−２）であることが分かり、それを記録に利用することになる。
【０１１６】
従って、記録再生装置（図８）は、ホストや制御部（図８の２０）が特定の記録層へ特定の速度で記録することを望む場合、当該ディスク情報を容易にサーチし、当該ディスク情報内に記録された記録関連情報（ＷＳ）を確認することが可能になる。
【０１１７】
参考までに、前記第１の実施形態の情報と第３の実施形態の情報をディスク情報内に共に、または他の制御情報内にそれぞれ記録してもよく（図示せず）、その場合には、第３の実施形態において記載された適用可能な速度情報を優先させればよい。これは、当該ディスクが支援する最大速度、最小速度、基本速度、その他の速度情報の一部が、当該ディスクにおいて実際に支援されていないこともあり得るため、第３の実施形態において記載した情報で特定のその速度の適用可否を判断するようにするためである。
【０１１８】
図８は、本発明によるディスク制御情報を用いた光ディスク記録再生装置に係り、本記録再生装置は、光ディスクへ記録し、ディスクから再生する記録再生部１０と、これを制御する制御部２０を備えている。
【０１１９】
制御部は、記録再生部に特定領域への記録または再生コマンドを生成し、記録再生部は、制御部からのコマンドに従い特定領域への記録再生を行う。記録再生部１０は、具体的には、外部と通信を行うインタフェース１２と、光ディスクにデータを直接に記録したり再生したりするピックアップ１１と、ピックアップ１１から再生信号を受信し所望の信号値に復元したり、記録すべき信号を光ディスクに記録する信号に変調して伝えるデータプロセッサ１３と、光ディスクから的確に信号を読み出したり、光ディスクに信号を的確に記録するためにピックアップ１１を制御するサーボ１４と、ディスク制御情報を含む管理情報を一時的に記憶するメモリ１５と、記録再生部内の構成要素を制御するマイクロコンピュータ１６とを備えている。
【０１２０】
前記のようなシステムにおいては、記録再生装置内に制御部２０を特に設けずに、制御部２０に代わって記録再生部１０内のマイクロコンピュータ１６にすべての動作を制御させるようにしてもよい。
【０１２１】
本発明に係る光ディスクの記録過程について詳細に説明する。まず、光ディスクを記録再生装置内にロードする。すると、ディスク内のすべての管理情報が読み出されて記録再生部内のメモリ１５に一時的に記憶される。これらの管理情報は、光ディスクへの記録再生時に活用される。メモリに記憶される管理情報には、本発明のディスク制御情報も含まれており、従って、ディスク制御情報内に記録された記録層情報と速度情報、さらにその速度に適する記録関連情報（ＷＳ）も読み出されてメモリに記憶される。
【０１２２】
光ディスク内の特定領域へ記録しようとする場合、制御部２０は、記録コマンドを生成し、記録しようとする記録位置情報のデータと共に記録再生部１０に伝える。記録再生部内のマイクロコンピュータ１６は、記録コマンドを受信した後、メモリ１５に記憶されている管理情報から制御部２０が記録を所望する光ディスク内の記録層に適用すべき記録速度を決め、決められた速度を参照して速度に最も適する記録関連情報を用いて記録コマンドを実行する。
【０１２３】
本発明の第１の実施形態（図４ａ〜図５ｂ）により光ディスク内に記録を行う場合であれば、マイクロコンピュータ１６は、最大速度、中間速度、最小速度をすべて考慮し、ディスク内の領域毎に異なる速度別の記録関連情報（ＷＳ）を適用して記録を行う。
【０１２４】
以上、前述した本発明の好適な実施形態は、例示の目的のために開示したものであるに過ぎず、当業者であれば本発明の特許請求の範囲に開示された本発明の技術的思想とその技術的範囲内で種々の他の実施形態として改良、変更、代替、または付加などが可能であることは自明である。
【符号の説明】
【０１２５】
１０…記録再生部、１１…ピックアップ部、１２…インターフェイス部、１３…データプロセッサ、１４…サーボ部、１５…メモリ、１６…マイクロコンピュータ、２０…制御部。
【図１】
2010250935.tif 000003
【図２】
2010250935.tif 000004
【図３】
2010250935.tif 000005
【図４ａ】
2010250935.tif 000006
【図４ｂ】
2010250935.tif 000007
【図４ｃ】
2010250935.tif 000008
【図５ａ】
2010250935.tif 000009
【図５ｂ】
2010250935.tif 000010
【図６ａ】
2010250935.tif 000011
【図６ｂ】
2010250935.tif 000012
【図６ｃ】
2010250935.tif 000013
【図７ａ】
2010250935.tif 000014
【図７ｂ】
2010250935.tif 000015
【図７ｃ】
2010250935.tif 000016
【図７ｄ】
2010250935.tif 000017
【図８】
2010250935.tif 000018